(57)【要約】【課題】  ゴム屑等の掃き口と掃き込みスペースの必要な広さを確保し、これに小型の容器を設けて邪魔にならない全体形を成し、移動して拾い掃きを可能とし、屑を容器に収容しやすく且つ容器から排出しやす道具の提供。【解決手段】  本体と蓋に塵取りの技術要素を配置し、平板部に穴とその直下の空間に容器を設け、電池式の電源と隠しスイッチ及び電動バイブレーターを設けて屑を容器に収容又は容器から排出することを特徴とする屑取り具。【選択図】図１
2010259738.tif 000002
【特許請求の範囲】
【請求項１】
本体と蓋に塵取りの技術要素を配置して設け、平板部に穴を設けその直下の空間に容器を設ける構造と、電池式の電源と隠しスイッチ及び電動バイブレーターを設けて構成し、その振動力により屑を容器に収容又は容器から排出することを特徴とする屑取り具。
【請求項２】
掃き口の両脇に握り部を設け、電源から電源スイッチと押しボタン式スイッチを設けて電動バイブレーターに接続し、本体を傾ける作業をもって屑を容器に収容する特徴をもつ請求項１記載の屑取り具。
【請求項３】
請求項２の電源スイッチ及び押しボタン式スイッチに代えて、握り部又は壁部の左右のどちらかに押しボタンスイッチを設けこれを電動バイブレーターにに接続し、本体を傾けながらスイッチを押して屑を容器に収容する特徴をもつ請求項１記載の屑取り具。
【請求項４】
掃き口の両脇に握り棒を設けその両先端に押しボタン形スイッチを設け、これを電源と電動バイブレーター間に直列に挿入接続し、本体を傾けながら両指でスイッチを押して屑を容器に収容する特徴をもつ請求項１記載の屑取り具。
【発明の詳細な説明】
【技術分野】
【０００１】  本発明は、机上や床面等の平面に散った消しゴムの屑等を始末する屑取りに関する。
【背景技術】
【０００２】  消しゴムの屑等を始末する道具で、専用の容器に刷毛で掃き込む構成で固定又は移動できる発明及び考案がある。例えば特許文献１乃至３。これらの技術は容器が本体を成し、それに掃き口を付設する構造のため容器の大小で掃き口の広さが決まりその作業性に大きく影響する。
【特許文献１】特開２００６−７６７８７
【特許文献２】特開２００４−２０９９５７
【特許文献３】実用新案公開平０５−０３９９９５
【発明の開示】
【発明が解決しようとする課題】
【０００３】  ゴム屑は小さくて散る特性をもつため、屑の掃き口は広いほうが良く容器は小型でも十分である。従来技術は、この点が両立できず掃き口を広くすると容器が過大になって邪魔になり、容器を小型にすると掃き口が狭くなり掃き込みが困難になる。又、固定する道具は、例えば机上に固定すると床面に移動して拾い掃きができない欠点がある。
しかし、掃き口は掃き込むスペースとセットでなければ役に立たず且つこのスペースがあればこそ小型の容器も設けられる。ところが容器が小型なるがゆえに屑を収容したり、捨てる作業がさらに困難性が増す。
本発明は、掃き口とスペースの必要な広さを確保し、これに小型の容器を設けて邪魔にならない全体形を成し、移動して拾い掃きができること及び容器に収容しやすい手段又は容器から排出しやすい手段を課題とする。
【課題を解決するための手段】
【０００４】  本体と蓋に塵取りの技術要素を配置して設け、平板部に穴を設けその直下の空間に容器を設ける構造と、電池式の電源と隠しスイッチ及び電動バイブレーターを設けて構成し、その振動力により屑を容器に収容又は容器から排出する手段を主たる構成とする屑取り具。
又、掃き口の両脇に握り部を設け、電源から電源スイッチと押しボタン式スイッチを設けて電動バイブレーターに接続し、本体を傾ける作業をもって屑を容器に収容する手段又は前記の電源スイッチ及び押しボタン式スイッチに代えて、握り部又は壁部の左右のどちらかに押しボタンスイッチを設けこれを電動バイブレーターに接続し、本体を傾けながらスイッチを押す手段を主たる構成とする屑取り具に追加する。
更に、前記の追加する構成に代えて掃き口の両脇に握り棒を設け、その両先端に押しボタン形スイッチを設け、これを電源と電動バイブレーター間に直列に挿入接続し、本体を傾けながら両指でスイッチを押して屑を容器に収容する手段を主たる構成とする屑取り具に加える。
【発明の効果】
【０００５】  本発明は、塵取りの技術要素を使って拾い掃きした屑を穴から容器に収容するために電動バイブレーターを組み込んだ道具である。
まず、本体の大部分を占める平板部に広い掃き口を設け、掃き口を面と密接させて屑を掃き込みやすくした。容器を穴の直下の偏平な空間から本体後部まで横並びに設けて小型化し、その容積は空間を横方向に増減して適量化する。道具の全体形は薄型の直方体、つまりブック型になり本棚に立てられて邪魔にならない。
又、把持部で本体を持ち机上や床面に移動しながら拾い掃きを可能とし適宜隠しスイッチを押して屑を容器に収容できる。同じく、隠しスイッチを押して容器からゴミ箱に捨てることができる。
机上では、本体を傾けるだけでスイッチが入り容器に収容する手段と、これを手動スイッチに変更して容器に収容する手段、又は両手両指でスイッチを押すアクション性がある手段も提供している。
【発明を実施するための最良の形態】
【０００６】  ゴム屑は小さくて散る特性を持つので刷毛を使うのがよい。汎用の塵取りはこの分野の技術要素を備えており本発明もこれを準用する。従来技術は、箱型の容器に直に掃き込む構成のためその始末手段に問題点があった。
図１は、本発明の構成単品を別々に示した。（ａ）は蓋７、（ｂ）は本体１である。ここで言う、塵取りの技術要素とは、屑の掃き込み口である掃き口３、掃き込み面である平板部２、屑をこぼさない壁である壁部４、取っ手に相当する把持部８を指す。
この道具はプラスチックで成形すると軽量化できて移動が楽で使い勝手が良くなり製造コストも安くなる。
以下、図面と合わせて詳細に説明する。【０００７】  まず、図１のように長方形の本体１に平板部２を設ける。平板部は本体の前面側を開口して掃き口３を成して屑を掃き込む構造である。本体がＢ５版の場合、平板部の寸法は幅２２０ｍｍ、奥行き１３０ｍｍ程度が確保でき、本体の大部分を平板部が占めることになる。
掃き口３は、指が切れない程度の薄板状に形成し平面と段差なく密接する構造にする。言わば机上面の延長上に掃き口があるイメージで小さい屑を逃がさない精度が望ましい。この平板部と掃き口の構成に後述する拾い掃きの構成を加えると、道具を据え置き又は移動しながら掃き込みやすくなる。【０００８】  平板部２は掃き口から奥側に向かって僅かづつ嵩上げした斜面を成して設ける。平板部には掃き口の両脇から奥側に向かって壁部４を設け、その奥部を狭めてループ状に閉じて掃き込んだ屑が逃げるのを防ぐ。
平板部の奥部に穴５を設ける。穴は丸形に限らず楕円形でもよい。穴の位置では平板部の嵩上げ高を１３ｍｍ程度を確保し、穴の直下と本体の空間を利用して容器６を設ける。図２のように、容器の空間は横並びに形成され本体の厚みを増やすことなく小型化できる。その容積は横方向に増減することで適量化が可能になる。容器の奥側に開閉自在の排出口を設ける。
図２の容器は本体と一体成形であるが、これを引出し式にして容器を抜いて捨てる方法を加えてもよい。尚、本体内の他の空間は刷毛や学習小物を入れたり後述する電気用品の固定や配線スペースに利用する。【０００９】  図１及び図３のように本体に軸支して蓋７を設ける。蓋はその開きが１００度程度で半固定し閉めるとロックするように設け、本体の嵩上げ構造とは逆に掃き口に向かって厚みを持つ構造に設ける。
これで道具の全体形は薄型の直方体、つまりブック型になり本棚に立てても違和感がなくランドセルにも納まりが良くなる。その厚みを２０ｍｍ程度にするとノートパソコンやゲーム機に似て美観的に楽しい。
蓋７の先端の厚みを凹ませて把持部８を設ける。把持部は移動用の他に、汎用の塵取りと同じく蓋を開いた状態で拾い掃きを可能とし、後述する片手で持ちながらスイッチ操作ができる用途がある。以上の作業を行うために蓋を開で半固定し、閉でロックして作業性に配慮した。
尚、本体を移動したり本棚に立てたりするとき、容器に収容した屑が穴５から逆流するおそれがある。これは穴を塞ぐ手段が必要であり、図２では蓋７の裏側にクッション性をもつスポンジ材を貼付ける例を示した。【００１０】  前記の構成に設ける電気用品は、図１のように電池式の電源９を本体に設け、本体の内部に電動バイブレーター１０を設ける。これは平板部及び容器に振動を与える手段でありその近くに固定すると振動が伝わりやすい。
次に、蓋７の把持部８の近くに隠しスイッチ１１を設ける。隠しスイッチは蓋の外側に面して指が入る小穴又は小さな蓋を設け、その奥まった位置に押しボタンスイッチを隠して設けるものである。把持部８で本体を持ち上げて親指で押せる位置に設けると使いやすくなる。
図３の矢印は、把持部を持って本体を傾けて親指で隠しスイッチ１１を押す様子を示しており、屑を平板上で跳ねさせて穴から容器に収容する。又は本体をゴミ箱まで移動してスイッチを押して屑を排出する。
これらの手段は、塵取りの技術要素と穴や容器を組み合わせ、これに電動バイブレーターを作用させたところに本発明の特徴がある。スイッチを隠したのは誤動作を防ぐとともに電源スイッチを設けずに済む利点がある。従って、電源９から隠しスイッチ１１を経由して電動バイブレーター１０に接続するシンプルな回路構成になる。【００１１】  以上が本発明の主たる構成である。その使い方は、まず最初に本体を机上にセットして掃き口方向に指で払ったりノートから平板部に落としながら学習する方法もあるが、これよりも学習に集中するのが一番である。
これには学習後に始末する逃げ道がある。まず学習が済んで学習具を片付けて机上を空ける。ここで道具を本棚から取り出して把持部８で本体を持って拾い掃きする。ときどきは隠しスイッチを押して容器に収容する。次に床面も拾い掃きしながら収容し、最後にゴミ箱に移動してスイッチを押して捨てる。
このように、移動するほうが作業の流れがスムーズになり、最初から机上にセットすると道具や学習具が邪魔であったり、屑を道具まで移動する面倒さもある。隠しスイッチも移動しながらのほうが使いやすい。【００１２】  次に主たる構成に付加する手段について説明する。まず、図４及び図５に示すように掃き口３の両脇に握り部１２ａ及び１２ｂを設ける。握り部は、道具を机上で使うとき本体１（平板部２）を傾ける役割を持つ。
握り部は、原則として蓋７の内側に設けるが、その高さに難がある場合は、蓋に穴を空けて握り部の先端の一部を露出してもよく握り部の色を変えると丸いアクセントになり楽しい。これでも使いにくいときは、平板部の内側へ折り曲げる構造にしてもよい。
電気まわりは、電源９から電源スイッチ１３と押しボタン式スイッチ１４を設けこれを電動バイブレーターに接続する。押しボタン式スイッチは、図４及び図５に示すように本体底面に押しボタンを突出させ、本体を傾けるとスイッチがオンになり戻すとオフになる。
つまり、握り部で本体を傾ける一発作業でスイッチが連動してオンになり屑を容器に収容できる点が特徴になる。前記の主たる構成が主に移動用に適しているのに対し、これは据え置きに適しており、この機能を主たる構成に付加すると移動と固定（据え置き）に用途が広がる。特に、容器への収容作業が椅子に座っていてもできるのは便利で楽しい。尚、電源スイッチ１３を設けて二段のスイッチ構成にしたのは不用意な誤動作を防止するためである。【００１３】  次に、図６に示すように押しボタンスイッチ１５ａ又は１５ｂを設ける。前記のスイッチ構成に代えてスイッチ一個による手操作で屑を収容する。その構成は、握り部１２ａ及び１２ｂを前記の状態で設け、その左又は右側の握り部のどちらかにスイッチを設けて本体を傾けながら操作を行う。例えば１５ｂを設ければ１５ａは設けないという構成である。図６には右利き用のイメージで事例を示した。スイッチは壁部４に設けてもよい。
又、このスイッチを蓋７の隠れた位置に設けると電源スイッチ１３が不要になる。その接続は、電源９から引出し線を壁部４の内部に通し握り部内に立ちあげ押しボタンスイッチから電動バイブレーター１０まで戻る回路になる。
この機能を前記の主たる構成に加えると、自動的なスイッチによる方法とは別のマニュアルバリエーションで屑を容器に収容できる。【００１４】  更に、前記の一個のスイッチに代えて二個構成のスイッチを設ける。図７のように掃き口３の両脇に握り棒１６ａ及び１６ｂを設ける。その両先端に押しボタン形スイッチ１７ａ及び１７ｂを設け、両手で握り棒を持ちながら両親指でスイッチを操作する。これは前記の押しボタンスイッチと同一の機能であるが用途の混同を避けるため押しボタン形スイッチと表現した。
握り棒の構造は、子供が握れる長さ５０ｍｍ程度を確保しその足部に前後左右に自在に動く継ぎ手を設け、これを蓋７の内側に倒せる構造にする。電気系統は電源９から左右のスイッチを直列に接続して電動バイブレーター１０に至る回路である。従って、両方のスイッチがオンの時間だけ電動バイブレーターが振動して屑を収容できる。尚、スイッチが直列接続のため誤動作はない。
使い方は、握り棒を自在に動かしながら両指でスイッチを押すと飛行機の操縦桿に早変わりしパイロット気分のアクションが楽しめる。蓋の裏にコックピットや新幹線の運転席の写真を貼れば臨場感が増す。
道具の平板部に土俵を書いて二人でスイッチを片方づつ押して紙相撲をして遊ぶこともできる。やんちゃな男の子が遊び心で楽しく始末するなら面倒さに勝る心的な効果を生み、自主的に始末するようになれば床に散らさない意識が育まれマナー問題にも間接的に貢献することになる。
【図面の簡単な説明】
【００１５】
【図１】主たる構成の蓋及び本体を別々に示した斜視図
【図２】主たる構成の穴及び容器等の構造を示すＡ−Ｂ断面図
【図３】主たる構成の本体を傾けて収容する方法を示す側面図
【図４】握り部と押しボタン式スイッチ等を示す斜視図
【図５】握り部で本体を傾けて収容する方法を示す側面図
【図６】握り部と押しボタンスイッチの一例を示す部分斜視図
【図７】握り棒と二個の押しボタン形スイッチを示す斜視図
【符号の説明】
【００１６】  １    本体
２    平板部
３    掃き口
４    壁部
５    穴
６    容器
７    蓋
８    把持部
９    電源
１０    電動バイブレーター
１１    隠しスイッチ
１２ａ  握り部
１２ｂ  握り部
１３    電源スイッチ
１４    押しボタン式スイッチ
１５ａ  押しボタンスイッチ
１５ｂ  押しボタンスイッチ
１６ａ  握り棒
１６ｂ  握り棒
１７ａ  押しボタン形スイッチ
１７ｂ  押しボタン形スイッチ
【図１】
2010259738.tif 000003
【図２】
2010259738.tif 000004
【図３】
2010259738.tif 000005
【図４】
2010259738.tif 000006
【図５】
2010259738.tif 000007
【図６】
2010259738.tif 000008
【図７】
2010259738.tif 000009